(57)【要約】【課題】番組表を見ているだけの時や，録画処理を行うだけのときには，視聴処理機能を停止させ，それによって高度に省電力機能を持つテレビジョン受信機を提供すること。【解決手段】テレビ番組の画像の表示と該テレビ番組の画像に対応する音声の出力を行うテレビ番組の視聴機能がＯＦＦの状態下で上記各種文字情報の１つとしての番組表情報を受信する指令が入力されたか否かを判断し，上記テレビ番組の視聴機能がＯＦＦの状態下で上記番組表情報を受信する指令が入力されたと判断された時には，上記テレビ番組の視聴機能をＯＦＦにしたままで上記番組表情報を取得すると共に，画面の背景を黒画面に設定して該黒画面の背景に上記番組表情報を表示させる。【選択図】図３
2007324974.tif 000002
【特許請求の範囲】
【請求項１】
テレビ番組を受信する機能に加えて，各種文字情報を受信する機能を備えてなるテレビジョン受信機であって，
テレビ番組の画像の表示と該テレビ番組の画像に対応する音声の出力を行うテレビ番組の視聴機能がＯＦＦの状態下で上記各種文字情報の１つとしての番組表情報を受信する指令が入力されたか否かを判断する視聴状態判断手段と，
上記テレビ番組の視聴機能がＯＦＦの状態下で上記番組表情報を受信する指令が入力されたと上記視聴状態判断手段が判断した時には，上記テレビ番組の視聴機能をＯＦＦにしたままで上記番組表情報を取得すると共に，画面の背景を黒画面に設定して該黒画面の背景に上記番組表情報を表示させる省電力機能実行手段と，
を備えてなることを特徴とするテレビジョン受信機。
【請求項２】
上記省電力機能実行手段による処理状態において，上記各種文字情報として録画予約に関する情報を前記黒画面に設定された画面の背景に更に表示する請求項１に記載のテレビジョン受信機。
【請求項３】
前記テレビ番組に関する文字情報を受信する指令がリモコンからの指令である請求項１あるいは２のいずれかに記載のテレビジョン受信機。
【請求項４】
上記省電力機能実行手段が，更に前記画面を背面から照らすバックライトの輝度を上記視聴状態における輝度より低下させる処理を実行するものである請求項１〜３のいずれかに記載のテレビジョン受信機。
【請求項５】
上記省電力機能実行手段による処理状態において，前記各種文字情報を縮小表示する画面縮小表示手段を更に備えてなる請求項１〜４のいずれかに記載のテレビジョン受信機。
【発明の詳細な説明】
【技術分野】
【０００１】
本発明は，テレビ番組を受信する機能に加えて，番組に関する情報や番組表などの文字情報を受信する機能を備えてなるテレビジョン受信機に係り，特に上記文字情報を受信する文字情報表示状態あるいはそれに関連する状態下においては，消費電力をその機能に必要な最小限の電力に節電することのできるテレビジョン受信機に関するものである。
【背景技術】
【０００２】
特許文献１は，ＰＣなどの画像処理を含む情報機器に関するものであり，画像のコンポジット信号を情報機器に入力するだけではなく，テレビチューナを内蔵し，テレビの画像信号を得ることができるように構成された情報機器の改良に関する文献である。
通常，ＰＣなどの情報機器は，表示信号を出力するのみで，実際に画像表示をするためには，モニタなどの表示装置に接続する必要がある。一方，上記特許文献１に記載の情報機器における表示装置では，情報機器からの表示信号を表示する機能以外に，テレビチューナを内蔵し，テレビ番組などを表示する機能を併せ持つものである。この場合，情報機器側の動作とは別に，テレビ番組の画像の表示および該テレビ番組に対応する音声を出力する，いわゆる視聴処理を行うことができるようになっている。
一方，テレビ番組の録画処理には，ある時刻になったときに録画を行うことを指定する録画予約という機能がある。この場合，ＰＣなどの情報機器側はスタンバイ状態にしておき，タイマを起動して録画開始時刻に録画を実行させることになる。このように，録画予約中に使用しない情報機器としてのＰＣ側の制御部については，スタンバイ状態に設定しておくのが一般的である。
【特許文献１】特開２００２−２０９１５７号公報
【発明の開示】
【発明が解決しようとする課題】
【０００３】
上記のように，従来より情報機器にテレビ機能を持たせたものでは，ＰＣの制御部とテレビ機能を持つ表示装置とが別系統で制御されているので，録画処理のように情報機器の機能をまったく使わない状態では，情報機器としての制御部をスタンバイ状態にすることに何の抵抗もないので，そのような処理を常識として受け入れる土壌が成立していた。
しかし，一般のテレビジョン受信機では，基本的にテレビ番組の画像の表示と該テレビ番組の画像に対応する音声の出力を行うテレビ番組の視聴処理（以下視聴処理という）を行うのが本来の機能であるので，たとえば番組表を見ているだけの時や，あるいは録画処理を行っている状態でも，テレビジョン受信機での視聴状態を停止させるといった，いわゆるテレビジョン受信機をスタンバイ状態にするという発想を持つことはなかった。
本発明は，このような状況の中でテレビジョン受信機の分野の常識を覆し，テレビジョン受信機において，番組表を見ているだけの時や，録画処理を行うだけのときには，視聴処理機能を停止させ，それによって高度に省電力機能を持つテレビジョン受信機を提供することを目的とするものである。
【課題を解決するための手段】
【０００４】
上記目的を達成するための本発明は，テレビ番組を受信する機能に加えて，各種文字情報を受信する機能を備えてなるテレビジョン受信機であって，テレビ番組の画像の表示と該テレビ番組の画像に対応する音声の出力を行うテレビ番組の視聴機能がＯＦＦの状態下で上記各種文字情報の１つとしての番組表情報を受信する指令が入力されたか否かを判断する視聴状態判断手段と，上記テレビ番組の視聴機能がＯＦＦの状態下で上記番組表情報を受信する指令が入力されたと上記視聴状態判断手段が判断した時には，上記テレビ番組の視聴機能をＯＦＦにしたままで上記番組表情報を取得すると共に，画面の背景を黒画面に設定して該黒画面の背景に上記番組表情報を表示させる省電力機能実行手段と，を備えてなることを特徴とするテレビジョン受信機として構成されている。
【０００５】
このようなテレビジョン受信機で，上記省電力機能実行手段による処理状態に，上記各種文字情報として録画予約に関する情報を前記黒画面に設定された画面の背景に表示するようにすれば，更に節電の効果が達成される。
【０００６】
この場合，前記テレビ番組に関する文字情報を受信する指令は，リモコンからの指令として与えられるのが一般的である。
上記のようなテレビジョン受信機では，前記画面を背面から照らすバックライトを用いるものがあるが，通常の文字情報の表示状態ではあまり高度の輝度が必要とされないにもかかわらずバックライトを使うことは消費電力が大きい。従って，上記省電力機能実行手段が，上記バックライトの輝度を上記視聴状態における輝度より低下させる処理を実行することが望ましい。
上記のような文字情報の表示には一般のテレビ番組の表示のような大きい画面は必要でない。またテレビジョン受信機では，画像を表示する面積によって消費電力が変わる。この点にかんがみ，上記省電力機能実行手段による処理状態において，前記各種文字情報を縮小表示する画面縮小表示手段を更に備えることで，消費電力の更なる減少が可能である。
【発明の効果】
【０００７】
本発明によれば，テレビ番組を受信する機能に加えて，各種文字情報を受信する機能を備えてなるテレビジョン受信機であって，テレビ番組の画像の表示と該テレビ番組の画像に対応する音声の出力を行うテレビ番組の視聴機能がＯＦＦの状態下で上記各種文字情報の１つとしての番組表情報を受信する指令が入力されたか否かを判断する視聴状態判断手段と，上記テレビ番組の視聴機能がＯＦＦの状態下で上記番組表情報を受信する指令が入力されたと上記視聴状態判断手段が判断した時には，上記テレビ番組の視聴機能をＯＦＦにしたままで上記番組表情報を取得すると共に，画面の背景を黒画面に設定して該黒画面の背景に上記番組表情報を表示させる省電力機能実行手段と，を備えてなることを特徴とするテレビジョン受信機として構成されているので，番組表を見ているだけの時や，録画処理を行うだけのときには，視聴処理機能を停止させ，それによって高度に省電力機能を持つテレビジョン受信機を提供することができる。
【発明を実施するための最良の形態】
【０００８】
以下，添付した図面を参照して本発明を具体化した実施形態について説明し，本発明の理解に供する。
ここに図１は，本発明の一実施形態に係るテレビジョン受信機の制御ブロック図，図２は上記テレビジョン受信機における省電力状態を説明するための概念図，図３は，上記テレビジョン受信機における番組表受信時の画面表示状態を示す概念図，図４は，上記テレビジョン受信機における制御部の省電力処理手順を示すフローチャートである。
まず，図１の制御ブロック図を用いて，本発明の実施の形態に係るテレビジョン受信機の構成について説明する。
【０００９】
図１に示すように，放送電波はアンテナＡＮＴから分配器１を経てテレビジョン受信機Ｔに受信される。このテレビジョン受信機Ｔには，デジタルＴＶチューナＣ１が設けられており，上記分配器１から受信された放送電波は，デジタルＴＶチューナＣ１を経て復調器Ｒ１でアナログ信号に復調される。
アナログ信号に復調された放送信号は，デコーダ／データ放送処理用のＡＳＳＩＣに入力される。上記ＡＳＳＩＣは上記復調された放送信号を受けて，該放送信号から番組データと文字多重データなどの文字データとを取り出すデコード／データ処理部３を備えている。
【００１０】
上記デコード／データ処理部３から出力された番組データ（番組の一例）と文字多重データ（各種文字情報の一例）とは，番組・データ切り替えスイッチＳＷ１を経て，メイン回路Ｃｍに出力される。
上記メイン回路Ｃｍに出力された信号は，ビデオ信号と音声信号を含んでおり，ビデオ信号は，ビデオスイッチＳＷ３に入力される。
上記ビデオスイッチＳＷ３から出力されたビデオ信号は，グラフィックコントローラなどの映像信号処理回路５に入力され，液晶コントローラ７を介して液晶画面ＬＣＤに画像として表示される。
さらに前記メイン回路Ｃｍに出力された音声信号は，前記音声スイッチＳＷ４を経てアンプ９に出力され，スピーカ１１を駆動する。
【００１１】
ここにおいて，前記デコード／データ処理部３および番組・データ切り替えスイッチＳＷ１は，ＡＳＳＩＣの制御部１３により制御される。
またこの制御部１３は，外部のリモコンＲＣによって操作されるマイクロコンピュータ（以下マイコンという）１５により制御される。
従って，結果的に前記デコード／データ処理部３および番組・データ切り替えスイッチＳＷ１は，マイコン１５により制御される。
上記マイコン１５は，更に前記ビデオスイッチＳＷ３および音声スイッチＳＷ４の切り替え制御を行うとともに，前記映像信号処理回路５の制御をも行う。制御内容については後述される
【００１２】
またＤＶＤ，ＣＤ−ＲＯＭ等の外部入力あるいはアナログチューナからの信号も上記ビデオスイッチＳＷ３および音声スイッチＳＷ４に入力され，番組データや文字多重データと同様に処理される。
上記リモコンＲＣは，番組表操作ボタンＭＢなどの各種操作ボタンを備えており，テレビジョン受信機Ｔ側のリモコン受信部ＲＲＣおよび該リモコン受信部ＲＲＣに接続された電源管理部ＥＣＣを介して上記マイコン１５に無線接続されている。
【００１３】
上記電源管理部ＥＣＣは，前記デジタルＴＶチューナＣ１および前記液晶画面ＬＣＤを背面から照らして画面の明るさを制御するバックライトＢＬに接続され，デジタルＴＶチューナＣ１による番組の視聴をオン・オフすると共に，バックライトＢＬのオン・オフあるいは照度調整を行う。
また，前記マイコン１５は，テレビ番組表の取得およびその表示を行ったり，上記テレビ番組表に従って録画予約を行う従来周知のＥＰＧ表示録画予約処理部１７に接続されている。上記ＥＰＧ表示録画予約処理部１７には，番組表情報を蓄積するＥＰＧ情報メモリ１９が接続されている。
【００１４】
以上の説明から概略理解されるように，この実施形態に係るテレビジョン受信機Ｔには，２つの節電系統が備えられている。
１つは，上記電源管理部ＥＣＣによるもので，図２におけるＥＰＧ単独起動部が示すように，上記リモコンＲＣの番組表操作ボタンＭＢからの番組表取得指示に従って，前記デジタルＴＶチューナＣ１を制御して液晶画面ＬＣＤにテレビ番組の表示を行わないようにすることと，前記バックライト用インバータＩＮＶを制御してバックライトを暗くするような処理を行う節電系統である。
また他の一つは，前記リモコンＲＣの番組表（ＥＰＧ）操作ボタンＭＢからの番組表取得指示に従って，マイコン１５が，前記ＥＰＣ表示録画予約処理部１７を制御して，液晶画面ＬＣＤに表示される画面の背景を黒画面に設定することによる節電処理，および前記制御部１３を介してＡＳＳＩＣの番組・データ切り替えスイッチＳＷ１を制御して上記液晶画面ＬＣＤに文字情報を表示させる処理を行うことに関するものである。
【００１５】
これらの節電処理の詳細を図４のフローチャートに従って次に説明する。
ここにＳ１，Ｓ２…は，上記マイコン１５あるいは電源管理部ＥＣＣの処理手順（ステップ）の番号である。なお，理解を容易にするため一部操作者の手順が記載されている。
まず操作者がリモコンＲＣの番組表操作ボタンＭＢを押したところ（Ｓ１）から処理は始まる。
【００１６】
上記番組表操作ボタンＭＢが押されると，リモコンＲＣからの信号がリモコン受信部ＲＲＣに伝えられる。この信号は電源管理部ＥＣＣを経て，マイコン１５に伝達される。
マイコン１５では，上記番組表操作ボタンＭＢが押されたことを示す信号を電源管理部ＥＣＣから受けると，制御部１３からの信号から番組・データ切り替えスイッチＳＷ１が番組側に切り替わっているか否かを検出して，現在番組の視聴が行われているか否かを判断する（Ｓ２）。
ここで番組の視聴が行われていないと判断される（Ｓ２でＮＯ）と，次の２つの処理を実行する。
【００１７】
〔バックライト制御〕
この処理では，番組表操作ボタンＭＢからの番組表操作信号を受けた電源管理部ＥＣＣからインバータＩＮＶにバックライトＢＬの光量を低下させる信号が送られ，インバータＩＮＶがバックライトＢＬの輝度を最小値ｍｉｎに設定する（Ｓ３）。これによってバックライトＢＬの明るさが低下される。上記のように，モニタ画面の明るさが若干低下することによって節電効果が達成される。モニタ画面の明るさは若干低下するが，この時表示されるのが，後記するように文字情報のみになるので，画面の暗さはユーザの感覚に大きい影響は与えない。
【００１８】
バックライトＢＬについては，その後リモコンＲＣからのバックライトＢＬを明るくする旨の信号を電源管理部ＥＣＣが受信すると（Ｓ４でＹＥＳ），輝度が上昇される（Ｓ５）。
【００１９】
〔番組表の取得〕
前記番組表操作ボタンＭＢの押下によって，別の処理として番組表を取得する処理が実行される。
即ち，番組表操作ボタンＭＢからの信号を電源管理部ＥＣＣを介して受け取ったマイコン１５は，ＥＰＧ表示録画予約処理部１７に信号を送り，ＧＰＳあるいはインターネットその他の通信手段を介して番組表（ＥＰＧ情報）を取得する（Ｓ６）。
次にマイコン１５は，映像信号処理回路（グラフィックコントローラ）５にアクセスしてモニタ画面の背景を黒画面に設定する（Ｓ７）。これによって背景に費やされる分の電力が節約される。またマイコン１５は，上記Ｓ６で取得した番組表情報（ＥＰＧ情報）を，この節電画面に枠を小さくした状態で表示する（Ｓ８）。通常は，枠の縮小は文字などを小さくする相似形の縮小ではないが，もちろん相似的に縮小しても良い。
【００２０】
この状態で，録画予約をする旨の信号が入力された場合（例えば番組表中のある番組が選択され，その番組についての予約処理が選択された場合）（Ｓ９でＹＥＳ），その番組についての予約が実行される（Ｓ１０）。
ここで続けて視聴状態がオフされていると判断された場合（Ｓ１１でＮＯ）には，処理はＳ１に戻って，番組表操作ボタンＭＢが押されたかどうかの判断処理（Ｓ１）が続行される。
また視聴状態に戻った場合（Ｓ１１でＮＯ）には，電源管理部ＥＣＣによりデジタルＴＶチューナＣ１が駆動されて，番組の視聴状態（テレビ番組の画像の表示と該テレビ番組の画像に対応する音声の出力を行う状態）に戻る。
【００２１】
一方，前記Ｓ８の番組表の縮小表示状態で，画面の輝度を上昇させる旨の信号が入力された場合（Ｓ１２でＹＥＳ）には，節電モードを脱したと判断できるので，マイコン１５は，番組表を画面一杯に拡大表示させる（Ｓ１３）。
【００２２】
さらに前記Ｓ８で，番組表の縮小表示が行われている時に，番組表の更新情報が入力された場合（Ｓ１４でＹＥＳ）には，節電モードを解除するべきであるので，電源管理部ＥＣＣによりデジタルＴＶチューナＣ１が駆動されて，番組の視聴状態（テレビ番組の画像の表示と該テレビ番組の画像に対応する音声の出力を行う状態）に戻る（Ｓ１５）。
またＳ８による番組表の縮小表示が行われている状態で，番組の視聴が開始された場合（Ｓ１６でＹＥＳ）にも，当然ながら番組の視聴状態に戻る（Ｓ１５）。
【００２３】
以上述べたようにこの実施形態では，番組の視聴が行われていない状態で，リモコンＲＣの番組表操作ボタンＭＢが押されると，従来のようにいちいち番組の視聴状態に戻ることなく，文字情報である番組表の表示だけを実行するので，すばやく，且つ気軽に節電状態で番組表を確認することができることになる。この時もちろん音声も切断されるので，節電の効果は一層高まる。
その上，上記のようにバックライトの輝度を低下させる処理も同時に実施される場合には，節電の目的は更に達成される。
さらに，背景画面を黒画面に設定すれば更なる節電が期待される。
また番組表の表示面積を狭くすれば更に節電されるが，上記したような番組表枠の縮小表示によってこの効果は達成される。
このことを視覚的に分りやすく表示したのが図３のイメージ図である。
【図面の簡単な説明】
【００２４】
【図１】本発明の一実施形態に係るテレビジョン受信機の制御ブロック図。
【図２】上記テレビジョン受信機における省電力状態を説明するための概念図。
【図３】同テレビジョン受信機における番組表受信時の画面表示状態を示す概念図。
【図４】上記テレビジョン受信機における制御部の省電力処理手順を示すフローチャート。
【符号の説明】
【００２５】
ＡＮＴ…アンテナ
１…分配器
Ｔ…テレビジョン受信機
Ｃ１…デジタルＴＶチューナ
Ｒ１…復調器
３…デコード／データ処理部
ＳＷ１…番組・データ切り替えスイッチ
Ｃｍ…メイン回路
ＳＷ３…ビデオスイッチ
ＳＷ４…音声スイッチ
５…映像信号処理回路
７…液晶コントローラ
ＬＣＤ…液晶画面
ＥＣＣ…電源管理部
ＲＲＣ…リモコン受信部
ＲＣ…リモコン
ＭＢ…番組表操作ボタン
ＩＮＶ…インバータ
ＢＬ…バックライト
１７…ＥＰＧ表示録画予約処理部
１９…ＥＰＧ情報メモリ
【図１】
2007324974.tif 000003
【図２】
2007324974.tif 000004
【図３】
2007324974.tif 000005
【図４】
2007324974.tif 000006